(57)【要約】  アテローマの吸引が可能であり、屈曲のきつい病変部にも到達することが可能で、血管の狭窄部の通過が可能な、通過性の優れた血栓吸引カテーテルを提供する。  本発明の血栓吸引カテーテルは、血栓吸引用ルーメン１１とガイドワイヤールーメン１３を備えたカテーテル本体１と、このカテーテル本体１の基端に設けられたコネクタ２を含んでなる管状体であって、血栓吸引用ルーメン１１は先端部の側壁に吸引口１２を有するとともに基端に貫通しており、ガイドワイヤー用ルーメン１３は先端部の側壁にガイドワイヤー挿入ポート１４を有すると共に長手軸上で先端に貫通しており、吸引口１２とガイドワイヤー挿入ポート１４が長手軸に関して反対側に設けられている。【特許請求の範囲】
【請求項１】
血栓吸引用ルーメンとガイドワイヤールーメンを備えたカテーテル本体と、該カテーテル本体の基端に設けられたコネクタを含んでなる管状体であって、前記血栓吸引用ルーメンは先端部の側壁に吸引口を有するとともに基端に貫通しており、前記ガイドワイヤー用ルーメンは先端部の側壁にガイドワイヤー挿入ポートを有すると共に長手軸上で先端に貫通しており、前記吸引口とガイドワイヤー挿入ポートが長手軸に関して反対側に設けられてなる、通過性の優れた血栓吸引カテーテル。
【請求項２】
ガイドワイヤー挿入ポートが吸引口より長手方向基端側に設けられてなる請求項１に記載の血栓吸引カテーテル。
【請求項３】
先端からガイドワイヤー挿入ポート迄の長手方向の長さＬｌと、先端から吸引口の基端までの長手方向の長さＬ２の差（Ｌ１−Ｌ２）が３ｍｍ以上１５ｍｍ以下である、請求項２に記載の血栓吸引カテーテル。
【請求項４】
ガイドワイヤー挿入ポート側の側壁に該ガイドワイヤー挿入ポートに近接して、吸引口より十分に小さな径を有し血栓吸引用ルーメンと連通する側孔が設けられてなる請求項１〜３のいずれかに記載の血栓吸引カテーテル。
【請求項５】
吸引口に近接して先端側に挿入位置確認のためのマーカーが設けられてなる請求項１〜４のいずれかに記載の血栓吸引カテーテル。
【発明の詳細な説明】
【技術分野】
【０００１】
本発明は、冠動脈の血栓除去に好適な血栓吸引カテーテルに関するもので、アテローマを吸引除去することが可能であり、通過性（クロス性：crossability）が大幅に改善されている。
【背景技術】
【０００２】
急性心筋梗塞は、心臓自身に酸素と栄養分を供給するための血管（冠動脈）が形成された血栓によって閉塞することにより、血液の流れが遮断され心臓の機能が低下する疾患で、国内では年間４万人近くが治療を受けている。心臓疾患は、欧米では死因の第１位、国内でも悪性新生物（癌）に続いて死因の第２位となっており、食文化の欧米化、社会生活におけるストレスの増加などの要因により近年増加傾向にある。最近では、閉塞部を再開通させ血液を再灌流させる処置を施すことにより、院内での死亡率は１０％以下になってきた。一般的には、再灌流させる処置として、血栓を溶解する薬剤を注入する方法や、血栓により狭窄した血管をＰＴＣＡバルーンカテーテルなどにより拡張する方法がとられる。【０００３】
冠動脈内部の血栓は、ストレス、食生活の欧米化、タバコ、飲酒などの習慣化により、血管を構成する内膜（血管内皮）の細胞間に隙間が形成され、この隙間から低比重リポ蛋白（ＬＤＬ）などが浸潤することに端を発すると考えられている。浸潤したＬＤＬは酸化され、酸化ＬＤＬとなるが、生体側は、異物であるこの酸化ＬＤＬを処理しようとしてマクロファージが集中し、貪食を始める。その結果、血管内皮と血管中膜の間にLIPIDO COREと呼ばれる粥状の物質が溜まり、血管内側にドーム状に膨張し粥腫（アテローマ）を形成する。そして、ある許容範囲を超えてLIPIDO COREが溜まると、粥腫部分の血管内皮が破裂する。この時、血液中の血小板が、破裂した部分を修復しようとして血栓が形成される。血栓が形成されると、これにより冠動脈の血流は遮断され、心臓そのものに酸素や栄養分が供給されなくなり、心臓の機能が喪失される。形成された血栓を早期に除去して再灌流がなされなければ、死に至る。【０００４】
血栓吸引療法は、脚や腕からカテーテルと呼ばれる直径１．５ｍｍ程度の細管を挿入し、冠動脈内の病変部に到達させ、血栓そのものを吸引し除去する治療方法である。血栓吸引療法では、血管を狭窄させる原因である血栓そのものを除去するので、薬剤では溶解しきれない血栓による冠動脈の再狭窄や、血管を過度に拡張させることによるダメージなど、従来の方法に存在したリスクを回避することができる。【０００５】
上記のような冠動脈内部の血栓を除去する目的のカテーテルは、血栓吸引カテーテルと呼ばれ、吸引具と組み合わせて用いられる。血栓吸引カテーテルにおいては、陰圧によりカテーテル壁面の潰れが生じることの無いよう、ある程度の強度が必要であり、さらに、吸引物を病変部から体外へ排出し易くするために、開口断面における面積（開口面積）をできるだけ大きくする必要があった。従来のカテーテルでは、開口面積が０．６５ｍｍ２程度に留まっており、強度を維持するため壁厚は０．１５ｍｍ以上であった。しかしながら、潰れに対して壁厚の増大で対向するのは、カテーテルの柔軟性が損なわれてしまうため、病変部が冠動脈の＃３、＃４など曲がりがきつい部分であった場合には、追随性（trackability）が悪く、病変部に到達することが出来なかった。【０００６】
血栓吸引カテーテルにとって、カテーテルの先端部の形状も重要である。
従来の血栓吸引カテーテルでは、先端開口部は長手軸に対して３０〜４５度程度傾斜されており、ガイドワイヤー用ルーメンは傾斜面と反対側の管壁に設けられているため（例えば、特許文献１参照）、ガイドワイヤー用ルーメンの軸が血栓吸引用ルーメン（カテーテルの軸上に設けられる）の軸と大きくずれている。従って、カテーテルを押し込んで血管の狭窄部を通過させようとした場合、カテーテルは先行するガイドワイヤーに沿って案内されるので、カテーテルの傾斜面が血管の狭窄した部分に衝突してカテーテルがそれ以上進まなくなることがある。【０００７】
【特許文献１】米国特許公報第５，８２７，２２９号（ＦＩＧ５（ａ）、ＦＩＧ６（ｄ））
【０００８】
そこで、本発明者らは、アテローマの吸引が可能であり、追随性が改善され屈曲のきつい病変部にも到達することが可能な、吸引性とクロス性の改善された血栓吸引カテーテルを提案している（特願２００３−２９４６１６）。
しかしながら、上記の血栓吸引カテーテルは、吸引性とクロス性は改善されたものの、吸引性の改善のために開口面積を大きくし、クロス性の改善のためにカテーテルの柔軟性を向上させて追随性を良くしたために、手元の力を先端に伝える性能（プッシャビリティ）が十分でなく、血管の狭窄部の通過など、よりクロス性の要求される病変部への対応が困難であった。
【発明の開示】
【発明が解決しようとする課題】
【０００９】
本発明は、如上の事情に鑑みてなされたもので、アテローマの吸引が可能であり、屈曲のきつい病変部にも到達することが可能で、血管の狭窄部の通過が可能な、通過性（クロス性）の優れた血栓吸引カテーテルを提供することを目的とする。
【課題を解決するための手段】
【００１０】
本発明の血栓吸引カテーテルは、血栓吸引用ルーメンとガイドワイヤールーメンを備えたカテーテル本体と、このカテーテル本体の基端に設けられたコネクタを含んでなる管状体であって、前記血栓吸引用ルーメンは先端部の側壁に吸引口を有するとともに基端に貫通しており、前記ガイドワイヤー用ルーメンは先端部の側壁にガイドワイヤー挿入ポートを有すると共に長手軸上で先端に貫通しており、前記吸引口とガイドワイヤー挿入ポートが長手軸に関して反対側に設けられてなることを特徴とする。【００１１】
ここで、吸引口形成部分の補強のために、ガイドワイヤー挿入ポートは、吸引口より基端側に設けられるのが好ましい。この場合、カテーテル本体の柔軟性を失わないためにはガイドワイヤー用ルーメンは余り長くしない方が良く、先端からガイドワイヤー挿入ポート迄の長手方向の長さＬｌと、先端から吸引口の基端までの長手方向の長さＬ２の差（Ｌ１−Ｌ２）は、３ｍｍ以上１５ｍｍ以下が好ましい。
吸引口が血管の内壁に吸い付くのを防止して十分な吸引効果を維持できるように、ガイドワイヤー挿入ポート側の側壁に該ガイドワイヤー挿入ポートに近接して、吸引口より十分に小さな径を有し血栓吸引用ルーメンと連通する側孔を設けて、吸引口の吸引力を十分に維持した状態で、側孔からも血栓を吸引できるようにしてもよい。吸引口に近接して先端側には、挿入位置確認のためのマーカーを設けてもよい。
以上、一般的に本発明を記述したが、より一層の理解は、いくつかの特定の実施例を参照することによって得ることが出来る。これらの実施例は本明細書に例示の目的のためにのみ提供されるものであり、他の旨が特定されない限り、限定的なものではない。
【発明の効果】
【００１２】
本発明によれば、以下のような効果が期待できる。すなわち、１）吸引口が側壁に形成されており、吸引口部分を血管壁に出来たアテローマに被せることができ、従って、吸引したときに大きな吸引力を得ることができるので、アテローマの吸引が可能である。２）ガイドワイヤー用ルーメンが長手軸上で先端に貫通しているので、カテーテルをガイドワイヤーに沿って押し込んだときに、カテーテルの軸上にガイドワイヤーが位置することになり、カテーテルが血管の狭窄した部分をスムーズに通過することが可能である。３）ガイドワイヤー用ルーメンを吸引口に近接する基端側の位置から先端側に設けているので、その分カテーテルの先端側の外径を小さく形成することが可能であり、クロス性を向上させることが可能である。
【図面の簡単な説明】
【００１３】
【図１】本発明の一実施例に係る血栓吸引カテーテルの平面図である。
【図２】図１における吸引口を含む部分の拡大平面図である。
【図３】図２の縦断面図である。
【図４】図２のＸ−Ｘ線における断面図である。
【図５】本発明の他の実施例における吸引口を含む部分の拡大縦断面図である。
【図６】従来の血栓吸引カテーテルの縦断面図である。
【図７】従来の血栓吸引カテーテルの縦断面図である。
【図８】性能試験の説明図である。
【符号の説明】
【００１４】
１    カテーテル本体
１１  血栓吸引用ルーメン
１２  吸引口
１３  ガイドワイヤー用ルーメン
１４  ガイドワイヤー挿入ポート
１５  側孔
１６  （造影）マーカー
２    コネクタ
【発明を実施するための最良の形態】
【００１５】
Ｌ１−Ｌ２＝５ｍｍとし、先端部には、吸引口に近接して先端側に挿入位置確認のためのマーカーを設ける。
【実施例１】
【００１６】
先ず、実施例１について、図１〜図３を用いて説明する。
図１は実施例１の平面図であり、図２は図１における吸引口を含む部分の拡大平面図、図３は図２の拡大縦断面図、図４は図１のＸ−Ｘ線における拡大横断面図である。
実施例１の血栓吸引カテーテルは、図１〜図４に示すように、血栓吸引用ルーメン１１とガイドワイヤールーメン１３を備えたカテーテル本体１と、このカテーテル本体１の基端に設けられたコネクタ２を含んでなる管状体であって、血栓吸引用ルーメン１１は先端部の側壁に吸引口１２を有するとともに基端に貫通しており、ガイドワイヤー用ルーメン１３は先端部の側壁にガイドワイヤー挿入ポート１４を有すると共に長手軸上で先端に貫通しており、吸引口１２とガイドワイヤー挿入ポート１４が長手軸に関して反対側に設けられている。また、ガイドワイヤー挿入ポートは吸引口より長手方向基端側に設けられている。【００１７】
カテーテル本体１は、ポリアミドエラストマーやポリウレタン、ポリエステルエラストマー、ポリエチレンなどの可撓性プラスチックで形成された管状体であり、血栓吸引用ルーメン１１とガイドワイヤールーメン１３を備えている。血栓吸引用ルーメン１１は基端から先端部に延びて、先端部の側壁に設けられた吸引口に開口しており、ガイドワイヤー用ルーメン１３は先端部の側壁に設けられたガイドワイヤー挿入ポート１４から始まり、長手軸上で先端に貫通している。吸引口１２とガイドワイヤー挿入ポート１４は長手軸に関して反対側に設けられている。本発明の血栓吸引カテーテルでは、吸引口１２が側壁に設けられているため、カテーテルを押し進めようとしたときに、弱くなった吸引口１２部分がアコーディオン状に変形してしまい、カテーテルが前に進まなくなる虞がある。そのため、本発明では、この吸引口１２形成部分をガイドワイヤーで補強する構造を採用している。ガイドワイヤー挿入ポート１４は、吸引口１２より基端側に設けられるのが好ましい。この場合、カテーテル本体１の柔軟性を失わないためには、ガイドワイヤー用ルーメン１３は余り長くしない方が良く、先端からガイドワイヤー挿入ポート１４迄の長手方向の長さＬｌと、先端から吸引口１２の基端までの長手方向の長さＬ２の差（Ｌ１−Ｌ２）は、式：３ｍｍ≦Ｌ１−Ｌ２≦１５ｍｍを満足するものが好ましい。
また、血栓吸引カテーテルには、カテーテルを押し進める力が先端に伝わる能力（pushabilityという）をよくするために、その基端から先端に向けて補強線材用ルーメン（図示していない）を設けてもよい。この場合、補強線材用ルーメンには例えばステンレスで形成された補強線材（図示していない）が埋めこまれる。【００１８】
カテーテルの先端部は吸引口１２を含んでおり、図２および図３に示すように、その先端が長手軸上にある。ガイドワイヤー用ルーメン１３は、吸引口１２に近接してこの吸引口１２より基端側に設けられたガイドワイヤー挿入ポート１４から発して先端方向に延び、長手軸上で先端に開口している。
血栓吸引用ルーメン１１は、先端開口部１２から吸引された血栓の通路であり、血栓はルーメン１１を通って血栓収集ボトル（図示していない）に収集される。吸引口１２は側壁に設けられているので、これをアテローマに宛って吸引ポンプ（図示していない）で吸引した時に、吸引圧によりが膨張したアテローマに吸い付くことが可能であり、これにより吸引性が大幅に向上し（完全に吸着した場合は、実際のポンプ圧と略等しい吸引圧になる）、血管内皮内のリピドコアをも吸引することが可能になる。
本発明の血栓吸引カテーテルでは、吸引口１２に隣接又は近接して先端側に、カテーテルの挿入位置を確認するためのマーカー（造影マーカー）１６を設けることができる。造影マーカー１６は、例えば吸引口１２より先端側に造影剤を練り込んで成型する方法や、例えば白金イリジウムの円環をかしめて巻きつける等の方法により形成することができる。【００１９】
このものは、吸引口が側壁に形成されているので、アテローマの吸引が可能である。また、ガイドワイヤー用ルーメンが長手軸上で先端に貫通しているので、カテーテルが血管の狭窄した部分をスムーズに通過することが可能である。また、ガイドワイヤー用ルーメンを吸引口に近接する基端側の位置から先端側に設けているので、外径を小さくしてクロス性を向上させることが可能である。
【実施例２】
【００２０】
本発明の実施例２について図７を用いて説明する。
実施例２の血栓吸引カテーテルは、図５に示すように、実施例１において、ガイドワイヤー挿入ポート１４に近接して、このポート１４と同じ側の側壁に、吸引口１２より十分に小さな径を有し血栓吸引用ルーメン１１と連通する側孔１５を設けたものである。吸引ポンプなどで吸引したときに、吸引口１２の吸引力を十分に維持した状態で、側孔１５からも血栓を吸引できるようになっている。
このものは、実施例１に示すものより吸引力は幾分劣るが、側孔１５からも吸引できるので、カテーテルの周りの血栓を満遍なく吸引することが出来る。また、例え吸引口１２が血管壁に吸い付いたとしても、側孔１５から吸引することにより、吸引口１２が強く血管壁に吸い付くのを防ぐことが出来る。【００２１】
〔性能試験〕  表１に示すような血栓吸引カテーテルについて、そのクロス性と柔軟性を比較したところ、表２のような結果が得られた。
性能試験は、図８に示すような疑似血管モデルにガイディングカテーテル（ボストンサイエンティフィック社製、６Ｆｒ  ＪＬ４：内径０．０７０”）を軽く挿着したもの用意し、３７℃の温水中に疑似血管モデル（長さ３５０ｍｍ、内径４．０ｍｍ（半円）、Ｒ１５ｍｍサイクルの波型）を没し、ガイディングカテーテルにガイドワイヤー（ＡＣＳ社製、HI-TORQUE  BALANCE  MIDDLEWEIGHT、０．０１４”）を挿入後、ガイドワイヤーに沿わせるようにして、血栓吸引カテーテルを進め、疑似血管モデルへのカテーテル挿入長を記録することにより行った。
本発明の血栓吸引カテーテル（Ｎ＝１０）では実施例１、実施例２ともにキンクすることなくＢの位置まで到達したが（挿入長３５ｃｍ）、比較例１（Ｎ＝１０）、比較例２（Ｎ＝２）では共にカテーテルがキンクしてＡの位置までしか到達しなかった（挿入長２０ｃｍ）。尚、実施例１及び実施例２の血栓吸引カテーテルは、外径３．９Ｆｒ（外径１．３０ｍｍに相当）、ルーメンの断面積：ガイドワイヤー挿入口より基端側０．９５ｍｍ２、先端側０．７９ｍｍ２であり、比較例１の血栓吸引カテーテルは、先端側外径４．５Ｆｒ、基端側外径３．９Ｆｒ、ルーメンの断面積：ガイドワイヤー挿入口より基端側０．６５ｍｍ２、先端側０．９０ｍｍ２であり、比較例２の血栓吸引カテーテルは、外径３．９Ｆｒ、ルーメンの断面積：ガイドワイヤー挿入口より基端側０．９５ｍｍ２、先端側０．７９ｍｍ２であった。
この結果、市販の血栓吸引カテーテルと比較してクロス性と柔軟性が大幅に改善されていることがわかる。【００２２】
【表１】
2006062023.tif 000002
【００２３】
【表２】
2006062023.tif 000003
（注）◎：非常に良い    ○：良い  
【図１】
2006062023.tif 000004
【図２】
2006062023.tif 000005
【図３】
2006062023.tif 000006
【図４】
2006062023.tif 000007
【図５】
2006062023.tif 000008
【図６】
2006062023.tif 000009
【図７】
2006062023.tif 000010
【図８】
2006062023.tif 000011
【国際調査報告】
2006062023.tif 000012
2006062023.tif 000013
2006062023.tif 000014
2006062023.tif 000015